(57)【特許請求の範囲】
【請求項１】
側板及び基底板により一面が開放された収容空間が形成されるジャンクションボックスと、
ケースの内部に互いに接離する固定接点及び可動接点を備え、前記収容空間に着脱されるリレーとを含み、
前記ジャンクションボックスは、前記側板の互いに対向する部位から前記収容空間の反対側に突出した一対の突起を備え、
前記リレーは、前記ケースにヒンジ結合され、一側が前記突起に係止されるレバーを備え、
前記レバーは、一方向に回動すると前記リレーを前記基底板側に加圧し、反対方向に回動すると前記リレーを前記基底板から遠ざかる方向に加圧し、
前記レバーは、
取っ手と、
前記取っ手の両端部から折り曲げられて互いに対向する板状に形成される一対のレバー板とを含み、
前記レバー板は、前記側板に対向する前記ケースの側壁にヒンジ結合され、一側が前記突起に係止され、
前記突起は、前記レバーが前記リレーを前記基底板側に加圧したとき前記取っ手が前記ケースの上壁に収容されるように配置されることを特徴とする電磁開閉装置。
【請求項２】
前記取っ手は、前記レバーが前記反対方向に回動すると前記ケースから離隔することを特徴とする請求項１に記載の電磁開閉装置。
【請求項３】
前記レバー板は、前記側壁とのヒンジ結合部を基準として前記取っ手の反対側に円弧状長孔を備え、
前記円弧状長孔は、前記ヒンジ結合部を基準として前記取っ手の反対側に膨らんで形成されることを特徴とする請求項１又は２に記載の電磁開閉装置。
【請求項４】
前記円弧状長孔は、前記ヒンジ結合部から前記円弧状長孔の一端部までの長さが、前記ヒンジ結合部から前記円弧状長孔の他端部までの長さより長く形成されることを特徴とする請求項３に記載の電磁開閉装置。
【請求項５】
前記円弧状長孔の一端部は、開放されるように形成されることを特徴とする請求項３又は４に記載の電磁開閉装置。
【請求項６】
前記突起は、
前記円弧状長孔の一端部から前記円弧状長孔に挿入され、
前記レバーが前記一方向に回動すると前記円弧状長孔の他端部に移動し、
前記レバーが前記反対方向に回動すると前記円弧状長孔の一端部に移動することを特徴とする請求項３〜５のいずれか一項に記載の電磁開閉装置。
【請求項７】
前記ジャンクションボックス及び前記リレーは、
前記基底板から前記突起までの長さが、前記ヒンジ結合部から前記ケースの基底壁までの長さから、前記ヒンジ結合部から前記円弧状長孔の他端部までの長さを引いた長さと同一であり、
前記基底板から前記突起までの長さが、前記ヒンジ結合部から前記ケースの基底壁までの長さから、前記ヒンジ結合部から前記円弧状長孔の一端部までの長さを引いた長さより長く形成されることを特徴とする請求項３〜６のいずれか一項に記載の電磁開閉装置。
【請求項８】
前記リレーは、前記ヒンジ結合部から前記取っ手までの長さが、前記ヒンジ結合部から前記円弧状長孔の一端部までの長さ以上に形成されることを特徴とする請求項３〜７のいずれか一項に記載の電磁開閉装置。
【請求項９】
前記レバー板は、前記円弧状長孔の一端部を形成する２つの部位から前記ケースの反対側に突出して前記２つの部位を連結支持するリブをさらに備えることを特徴とする請求項３〜８のいずれか一項に記載の電磁開閉装置。
【請求項１０】
前記リブは、
前記２つの部位からそれぞれ前記ケースの反対側に折り曲げられる一対の折曲部と、
前記一対の折曲部を連結する連結部とを含むことを特徴とする請求項９に記載の電磁開閉装置。
【発明の詳細な説明】
【技術分野】
【０００１】
本発明は、電磁開閉装置に関し、特に、リレーをジャンクションボックスに着脱できるようにした電磁開閉装置に関する。
【背景技術】
【０００２】
周知のように、電磁開閉装置は、電流を供給又は遮断する電気的接点開閉装置の一種であり、各種産業用設備、機械や車両などに用いられる。
【０００３】
図８は従来の電磁開閉装置及びリムーバーを示す斜視図であり、図９は図８のリレーを示す斜視図であり、図１０は図８のリムーバーがジャンクションボックスとリレーとの間に挿入された状態を示す断面図である。
【０００４】
図８〜図１０に示すように、従来の電磁開閉装置は、ジャンクションボックス１０と、ジャンクションボックス１０に装着されて回路を開閉するリレー２０とを含む。
【０００５】
リレー２０は、ケース２２の内部に設けられる接点部（図示せず）と、前記接点部からケース２２の外部に突出してジャンクションボックス１０に通電可能に接続される端子部２６とを備える。
【０００６】
ケース２２は、リレー２０をジャンクションボックス１０に固定装着できるように、一対のフック突起２４を備える。
【０００７】
ジャンクションボックス１０は、リレー２０が装着される装着部１２を備える。
【０００８】
装着部１２は、一対のフック突起２４が挿入される一対のフック溝１４を備える。
【０００９】
また、装着部１２は、一対のフック溝１４とケース２２との間に遊びがないように形成される。
【００１０】
このような構成により、リレー２０は、一対のフック突起２４が一対のフック溝１４に挿入係止され、ケース２２が一対のフック溝１４に接触支持されることにより、ジャンクションボックス１０の装着部１２に固定装着される。
【００１１】
一方、リレー２０は、ジャンクションボックス１０から引き抜いて点検や修理などを行った後にジャンクションボックス１０に再装着することができる。
【００１２】
ジャンクションボックス１０に装着されたリレー２０は、リムーバー３０によりジャンクションボックス１０から引き抜くことができる。
【００１３】
リムーバー３０は、前記電磁開閉装置とは別に備えられるリレー引抜専用工具である。
【００１４】
リムーバー３０は、作業者により把持される把持部３２と、リレー２０を挟むための挟み部３４とを備え、プライヤー（Pliers）状に形成される。
【００１５】
挟み部３４は、端部３４ａが挿入方向に傾斜するように面取りされている。
【００１６】
また、挟み部３４は、フック突起２４を挿入係止するための溝３４ｂを備える。
【００１７】
このようなリムーバー３０は、挟み部３４がリレー２０のケース２２とジャンクションボックス１０の装着部１２の一対のフック溝１４との間に入り込むように挿入される。
【００１８】
このとき、一対のフック溝１４は挟み部３４により互いに遠ざかる方向に広がる。
【００１９】
このようにして挿入されたリムーバー３０は、挟み部３４によりケース２２を挟む。このとき、挟み部３４の溝３４ｂには一対のフック突起２４が挿入係止される。
【００２０】
ケース２２を挟んだリムーバー３０は、リレー２０を持ち上げてジャンクションボックス１０から引き抜くことができる。
【発明の概要】
【発明が解決しようとする課題】
【００２１】
しかし、このような従来の電磁開閉装置においては、リムーバー３０が備えられていない場合、リレー２０をジャンクションボックス１０から引き抜くことが困難である。
【００２２】
また、リムーバー３０によりリレー２０がジャンクションボックス１０から引き抜かれる際に、ジャンクションボックス１０の装着部１２の一対のフック溝１４が互いに遠ざかる方向に永久変形してしまったり、リレー２０のケース２２の一対のフック突起２４の周辺部がケース２２の内側へ永久変形してしまったりすることがある。これにより、リレー２０がジャンクションボックス１０に再装着された場合、ケース２２の一対のフック突起２４の周辺部と一対のフック溝１４との間に遊びが生じることがある。その結果、リレー２０がジャンクションボックス１０で遊動してリレー２０とジャンクションボックス１０との接触不良が生じたり、一対のフック突起２４が一対のフック溝１４に係止されないことからジャンクションボックス１０から離脱したりすることがある。
【００２３】
そこで、本発明は、別途の工具を用いることなくリレーをジャンクションボックスに容易に着脱できるようにした電磁開閉装置を提供することを目的とする。
【００２４】
また、本発明は、前記リレーが前記ジャンクションボックスで遊動したり離脱したりしないようにした電磁開閉装置を提供することを他の目的とする。
【課題を解決するための手段】
【００２５】
上記目的を達成するために、本発明は、側板及び基底板により一面が開放された収容空間が形成されるジャンクションボックスと、ケースの内部に互いに接離する固定接点及び可動接点を備え、前記収容空間に着脱されるリレーとを含む、電磁開閉装置を提供する。
【００２６】
前記ジャンクションボックスは、前記側板の互いに対向する部位から前記収容空間の反対側に突出した一対の突起を備えてもよい。
【００２７】
前記リレーは、前記ケースにヒンジ結合され、一側が前記突起に係止されるレバーを備えてもよい。
【００２８】
前記レバーは、一方向に回動すると前記リレーを前記基底板側に加圧し、反対方向に回動すると前記リレーを前記基底板から遠ざかる方向に加圧するように構成されてもよい。
【００２９】
前記レバーは、取っ手と、前記取っ手の両端部から折り曲げられて互いに対向する板状に形成される一対のレバー板とを含んでもよい。
【００３０】
前記レバー板は、前記側板に対向する前記ケースの側壁にヒンジ結合され、一側が前記突起に係止されるように構成されてもよい。
【００３１】
前記取っ手は、前記レバーが前記反対方向に回動すると前記ケースから離隔するように構成されてもよい。
【００３２】
前記レバー板は、前記側壁とのヒンジ結合部を基準として前記取っ手の反対側に円弧状長孔を備えてもよい。
【００３３】
前記円弧状長孔は、前記ヒンジ結合部を基準として前記取っ手の反対側に膨らんで形成されてもよい。
【００３４】
前記円弧状長孔は、前記ヒンジ結合部から前記円弧状長孔の一端部までの長さが、前記ヒンジ結合部から前記円弧状長孔の他端部までの長さより長く形成されてもよい。
【００３５】
前記円弧状長孔の一端部は開放されるように形成されてもよい。
【００３６】
前記突起は、前記円弧状長孔の一端部から前記円弧状長孔に挿入され、前記レバーが前記一方向に回動すると前記円弧状長孔の他端部に移動し、前記レバーが前記反対方向に回動すると前記円弧状長孔の一端部に移動するように構成されてもよい。
【００３７】
前記ジャンクションボックス及び前記リレーは、前記基底板から前記突起までの長さが、前記ヒンジ結合部から前記ケースの基底壁までの長さから、前記ヒンジ結合部から前記円弧状長孔の他端部までの長さを引いた長さと同一であり、前記基底板から前記突起までの長さが、前記ヒンジ結合部から前記ケースの基底壁までの長さから、前記ヒンジ結合部から前記円弧状長孔の一端部までの長さを引いた長さより長く形成されてもよい。
【００３８】
前記リレーは、前記ヒンジ結合部から前記取っ手までの長さが、前記ヒンジ結合部から前記円弧状長孔の一端部までの長さ以上に形成されてもよい。
【００３９】
前記レバー板は、前記円弧状長孔の一端部を形成する２つの部位から前記ケースの反対側に突出して前記２つの部位を連結支持するリブをさらに備えてもよい。
【００４０】
前記リブは、前記２つの部位からそれぞれ前記ケースの反対側に折り曲げられる一対の折曲部と、前記一対の折曲部を連結する連結部とを含んでもよい。
【発明の効果】
【００４１】
本発明の一実施形態による電磁開閉装置においては、リレーにヒンジ結合されたレバーがジャンクションボックスの突起に係止された状態で前記レバーを一方向に回動させると、前記リレーを前記ジャンクションボックスの基底板側に加圧することができる。また、前記リレーにヒンジ結合されたレバーが前記ジャンクションボックスの突起に係止された状態で前記レバーを反対方向に回動させると、前記リレーを前記基底板から遠ざかる方向に加圧することができる。従って、別途の工具を用いることなく前記リレーを前記ジャンクションボックスに容易に着脱することができる。
【００４２】
また、前記リレーが前記ジャンクションボックスに繰り返し着脱されても、前記リレーのケースの側壁と前記ジャンクションボックスの側板との間に遊びが生じない。つまり、前記リレーが前記ジャンクションボックスで遊動したり離脱したりしない。
【図面の簡単な説明】
【００４３】
【図１】本発明の一実施形態による電磁開閉装置を示す斜視図である。
【図２】図１の突起が円弧状長孔の一端部に挿入された状態を示す斜視図である。
【図３】図２のレバーが回動した状態を示す斜視図である。
【図４】図３のレバーがさらに回動してリレーがジャンクションボックスに装着された状態を示す斜視図である。
【図５】図２のＩ−Ｉ線断面斜視図である。
【図６】図４のＩＩ−ＩＩ線断面斜視図である。
【図７】図４のＩＩＩ−ＩＩＩ線断面図である。
【図８】従来の電磁開閉装置及びリムーバーを示す斜視図である。
【図９】図８のリレーを示す斜視図である。
【図１０】図８のリムーバーがジャンクションボックスとリレーとの間に挿入された状態を示す断面図である。
【発明を実施するための形態】
【００４４】
以下、添付図面を参照して本発明の実施形態について詳細に説明する。
【００４５】
図１はリレーがジャンクションボックスから引き抜かれた状態の本発明の一実施形態による電磁開閉装置を示す斜視図であり、図２は図１の突起が円弧状長孔の一端部に挿入された状態を示す斜視図であり、図３は図２のレバーが回動した状態を示す斜視図であり、図４は図３のレバーがさらに回動してリレーがジャンクションボックスに装着された状態を示す斜視図である。
【００４６】
また、図５は図２のＩ−Ｉ線断面斜視図であり、図６は図４のＩＩ−ＩＩ線断面斜視図であり、図７は図４のＩＩＩ−ＩＩＩ線断面図である。
【００４７】
図１〜図７に示すように、本発明の一実施形態による電磁開閉装置は、側板１３０及び基底板１２０により一面が開放された収容空間１１０が形成されるジャンクションボックス１００と、ケース２１０の内部に互いに接離する固定接点（図示せず）及び可動接点（図示せず）を備え、収容空間１１０に着脱されるリレー２００とを含んでもよい。
【００４８】
ジャンクションボックス１００は、収容空間１１０がケース２１０の形状に対応するように形成されてもよい。
【００４９】
例えば、ケース２１０も直方体に形成されて収容空間１１０も直方体に形成されるようにしてもよい。
【００５０】
このために、ジャンクションボックス１００は、長方形の基底板１２０と、基底板１２０の４辺からそれぞれ立設される長方形の側板１３０とを備えることにより、直方体の収容空間１１０を形成するようにしてもよい。
【００５１】
側板１３０は、基底板１２０の一対の長辺から互いに対向するように立設される一対の長側板１４０を備えてもよい。
【００５２】
また、側板１３０は、基底板１２０の一対の短辺から互いに対向するように立設される一対の短側板１５０を備えてもよい。
【００５３】
一対の長側板１４０と一対の短側板１５０とは、それぞれの端部で互いに垂直に連結されるようにしてもよい。
【００５４】
また、ジャンクションボックス１００は、側板１３０の互いに対向する部位から収容空間１１０の反対側に突出した一対の突起１４２を備えてもよい。
【００５５】
本実施形態においては、一対の長側板１４０に一対の突起１４２がそれぞれ備えられる。
【００５６】
突起１４２は、長側板１４０の横方向においては中心に位置し、長側板１４０の縦方向においては上側に位置するように形成されてもよい。
【００５７】
ここで、横方向とは、基底板１２０に平行な方向をいい、縦方向とは、基底板１２０に垂直な方向をいい、上側とは、基底板１２０から前記縦方向の中心より遠い側をいう。
【００５８】
突起１４２は、長側板１４０から突出した端部から円周方向に突出した離脱防止突部１４２ａを備えてもよい。
【００５９】
離脱防止突部１４２ａは、突起１４２が後述するレバー板２９０の円弧状長孔２９４に挿入された場合、レバー板２９０が離脱防止突部１４２ａに係止されて突起１４２から突起１４２の突出方向に離脱しないようにする。
【００６０】
さらに、ジャンクションボックス１００は、基底板１２０から収容空間１１０の反対側に突出した複数のジャンクションボックス端子部１２２を備えてもよい。
【００６１】
ジャンクションボックス端子部１２２は、リレー２００がジャンクションボックス１００に装着された場合、基底板１２０を貫通して突出する後述するリレー端子部２２２に通電可能に接続されるようにしてもよい。
【００６２】
リレー２００は、ケース２１０にヒンジ結合され、一側が突起１４２に係止されるレバー２７０を備えてもよい。レバー２７０は、一方向に回動するとリレー２００を基底板１２０側に加圧し、反対方向に回動するとリレー２００を基底板１２０から遠ざかる方向に加圧するように構成されてもよい。
【００６３】
ケース２１０は、底面を構成する基底壁２２０と、側面を構成する側壁２３０と、上面を構成する上壁２６０とを備え、直方体に形成されてもよい。
【００６４】
基底壁２２０には、ケース２１０の内部で前記固定接点及び前記可動接点を備えて構成される接点部（図示せず）からケース２１０の外部に突出した複数のリレー端子部２２２が備えられてもよい。
【００６５】
側壁２３０は、基底壁２２０の長辺と上壁２６０の長辺とを連結する一対の長側壁２４０を備えてもよい。
【００６６】
また、側壁２３０は、基底壁２２０の短辺と上壁２６０の短辺とを連結する一対の短側壁２５０を備えてもよい。
【００６７】
上壁２６０は、リレー２００がジャンクションボックス１００に装着された場合、図７に示すように、後述するレバー２７０の取っ手２８０が収容されて上壁２６０に重なるように階段状に形成されてもよい。
【００６８】
すなわち、上壁２６０は、上壁２６０の長辺の延長方向における一端部２６２が他端部２６４より基底壁２２０側へ窪んで段差をなすように形成されてもよい。
【００６９】
上壁２６０の一端部２６２は、所定の幅ｗ262と所定の深さｔ262で形成されてもよい。
【００７０】
ここで、上壁２６０の一端部２６２の幅ｗ262とは、上壁２６０の一端部２６２が短側壁２５０に接する辺部から上壁２６０の一端部２６２と他端部２６４との境界部までの距離をいう。
【００７１】
上壁２６０の一端部２６２の幅ｗ262は、取っ手２８０の幅ｗ280以上に形成されてもよい。
【００７２】
また、上壁２６０の一端部２６２の深さｔ262とは、上壁２６０の一端部２６２が上壁２６０の他端部２６４に対してなす段差の高さをいう。
【００７３】
上壁２６０の一端部２６２の深さｔ262は、取っ手２８０の厚さｔ280以上に形成されてもよい。
【００７４】
このような構成により、リレー２００がジャンクションボックス１００に装着された場合、基底壁２２０が基底板１２０に対向し、一対の長側壁２４０が一対の長側板１４０に対向し、一対の短側壁２５０が一対の短側板１５０に対向することになる。
【００７５】
また、リレー端子部２２２が基底板１２０を貫通してジャンクションボックス端子部１２２に通電可能に接続される。
【００７６】
ここで、ケース２１０と収容空間１１０は、ケース２１０が収容空間１１０内で基底板１２０の水平方向に遊動しないように、側壁２３０と側板１３０との間に遊びがないように形成されてもよい。
【００７７】
レバー２７０は、長手方向に延設された取っ手２８０と、取っ手２８０の両端部から折り曲げられて互いに対向する板状に形成される一対のレバー板２９０とを含んでもよい。レバー板２９０は、側壁２３０にヒンジ結合されてもよい。
【００７８】
本実施形態においては、取っ手２８０が直方体の板状に形成される。
【００７９】
取っ手２８０は、幅ｗ280が長さｌ280より短く、厚さｔ280が幅ｗ280より短く形成されてもよい。
【００８０】
ここで、取っ手２８０の長さｌ280とは、取っ手２８０の長辺サイズであり、取っ手２８０の幅ｗ280とは、取っ手２８０の短辺サイズであり、取っ手２８０の厚さｔ280とは、取っ手２８０の長辺及び短辺が形成する面に垂直な方向のサイズである。
【００８１】
一対のレバー板２９０は、それぞれ取っ手２８０の両端部から直角に折り曲げられ、取っ手２８０の幅ｗ280方向における一方向に延設されてもよい。
【００８２】
レバー板２９０の延設方向をレバー板２９０の長手方向とすると、レバー板２９０の長さは、長側壁２４０の前記横方向の長さと同一に形成されてもよい。
【００８３】
また、レバー板２９０は、レバー板２９０の長手方向の中心において長側壁２４０の縦方向上側にヒンジ結合されてもよい。
【００８４】
ここで、長側壁２４０の縦方向とは、基底壁２２０に垂直な方向をいい、長側壁２４０の縦方向上側とは、基底壁２２０から前記縦方向の中心より遠い側をいう。
【００８５】
これにより、レバー２７０は、図１に示すように、回動してレバー板２９０の長手方向が基底壁２２０に対して垂直になると、取っ手２８０がケース２１０、より正確には上壁２６０から離隔して突出し、把持が容易になる。
【００８６】
また、レバー２７０は、図４に示すように、回動してレバー板２９０の長手方向が基底壁２２０に平行になると、ケース２１０全体の輪郭線から突出しないようにケース２１０に重なる。
【００８７】
すなわち、取っ手２８０がケース２１０、より正確には上壁２６０の一端部２６２に収容される。
【００８８】
そして、レバー板２９０の長手方向における両端部がケース２１０より突出しない。
【００８９】
このように、ケース２１０に重なったレバー２７０は、リレー２００がジャンクションボックス１００に装着された場合、前記電磁開閉装置が装着される設備（図示せず）の構成要素と干渉しなくなる。
【００９０】
ここで、レバー２７０は、取っ手２８０が上壁２６０の一端部２６２に収容されたときの把持を容易にするために、取っ手２８０から突出した突出部２８２を備えてもよい。
【００９１】
また、一対のレバー板２９０は、それぞれ長側壁２４０とのヒンジ結合部２９２を基準として取っ手２８０の反対側に形成される円弧状長孔２９４を備えてもよい。
【００９２】
円弧状長孔２９４は、ヒンジ結合部２９２を基準として取っ手２８０の反対側に膨らんで形成されてもよい。
【００９３】
また、円弧状長孔２９４は、円弧状長孔２９４の一端部２９４ａがレバー２７０の長手方向においてヒンジ結合部２９２を基準として取っ手２８０の反対側に形成されてもよい。
【００９４】
さらに、円弧状長孔２９４は、円弧状長孔２９４の他端部２９４ｂがヒンジ結合部２９２からレバー２７０の長手方向に垂直な軸上に形成されてもよい。
【００９５】
さらに、円弧状長孔２９４は、ヒンジ結合部２９２から円弧状長孔２９４の一端部２９４ａまでの長さＡが、ヒンジ結合部２９２から円弧状長孔２９４の他端部２９４ｂまでの長さＢより長く形成されてもよい。
【００９６】
これにより、円弧状長孔２９４の曲率中心は、ヒンジ結合部２９２を基準として円弧状長孔２９４の他端部２９４ｂの反対側に形成されることになる。
【００９７】
さらに、円弧状長孔２９４は、円弧状長孔２９４を含む平面において、円弧状長孔２９４の一端部２９４ａが開放され、円弧状長孔２９４の他端部２９４ｂが閉鎖されるように形成されてもよい。
【００９８】
つまり、レバー板２９０は、レバー板２９０の長手方向における取っ手２８０の反対側端部が、円弧状長孔２９４により第１端部２９０ａと第２端部２９０ｂに分かれるように形成されてもよい。
【００９９】
これにより、突起１４２は、円弧状長孔２９４の一端部２９４ａから円弧状長孔２９４に挿入することができる。
【０１００】
一方、レバー板２９０は、円弧状長孔２９４を形成する部位、より正確には円弧状長孔２９４の一端部２９４ａを形成する２つの部位である第１端部２９０ａと第２端部２９０ｂからそれぞれケース２１０の反対側に突出して第１端部２９０ａと第２端部２９０ｂを連結支持するリブ２９６をさらに備えてもよい。
【０１０１】
リブ２９６は、第１端部２９０ａと第２端部２９０ｂからそれぞれケース２１０の反対側に折り曲げられる一対の折曲部２９６ａ、２９６ｂと、一対の折曲部２９６ａ、２９６ｂを連結する連結部２９６ｃとを備えてもよい。
【０１０２】
つまり、第１端部２９０ａと第２端部２９０ｂとはリブ２９６により広がらなくなる。
【０１０３】
ここで、ジャンクションボックス１００及びリレー２００は、基底板１２０から突起１４２までの長さＤが、ヒンジ結合部２９２から基底壁２２０までの長さＣから、ヒンジ結合部２９２から円弧状長孔２９４の他端部２９４ｂまでの長さＢを引いた長さと同一に形成されてもよい。
【０１０４】
また、ジャンクションボックス１００及びリレー２００は、基底板１２０から突起１４２までの長さＤが、ヒンジ結合部２９２から基底壁２２０までの長さＣから、ヒンジ結合部２９２から円弧状長孔２９４の一端部２９４ａまでの長さＡを引いた長さより長く形成されてもよい。
【０１０５】
以下、本発明の一実施形態による電磁開閉装置の作用効果について説明する。
【０１０６】
まず、リレー２００がジャンクションボックス１００に装着される装着過程について説明する。
【０１０７】
リレー２００は、図１に示すように、レバー２７０が回動してレバー板２９０の長手方向が基底壁２２０に対して垂直になるように備えられてもよい。
【０１０８】
このように備えられたリレー２００は、基底壁２２０が基底板１２０に対向し、円弧状長孔２９４の一端部２９４ａが突起１４２に対向するように、ジャンクションボックス１００の上側に載置することができる。
【０１０９】
このとき、レバー２７０は、取っ手２８０がケース２１０、より正確には上壁２６０から離隔してヒンジ結合部２９２の回動軸に平行に突出するようにしてもよい。
【０１１０】
これにより、作業者は取っ手２８０を把持してリレー２００を容易に運搬することができる。
【０１１１】
このように備えられたリレー２００は、図２及び図５に示すように、ジャンクションボックス１００に載置することができる。
【０１１２】
このとき、基底壁２２０は基底板１２０から離隔しており、円弧状長孔２９４の一端部２９４ａに突起１４２が挿入されるようにしてもよい。
【０１１３】
ここで、ジャンクションボックス１００及びリレー２００は、基底板１２０から突起１４２までの長さＤが、ヒンジ結合部２９２から基底壁２２０までの長さＣから、ヒンジ結合部２９２から円弧状長孔２９４の一端部２９４ａまでの長さＡを引いた長さより長く形成されているので、突起１４２が円弧状長孔２９４の一端部２９４ａに位置する場合、基底壁２２０と基底板１２０との間隙がゼロより大きい。つまり、基底壁２２０と基底板１２０とを分離することができる。
【０１１４】
このように載置されたリレー２００は、図３及び図４に示すように、取っ手２８０を加圧してレバー２７０を同図の反時計方向に回動させることができる。
【０１１５】
レバー２７０が回動すると、突起１４２は、円弧状長孔２９４に沿って、円弧状長孔２９４の一端部２９４ａから円弧状長孔２９４の他端部２９４ｂに移動する。
【０１１６】
ここで、円弧状長孔２９４は、ヒンジ結合部２９２から円弧状長孔２９４の他端部２９４ｂまでの長さＢが、ヒンジ結合部２９２から円弧状長孔２９４の一端部２９４ａまでの長さＡより短く形成されてもよい。
【０１１７】
これにより、突起１４２が円弧状長孔２９４の一端部２９４ａから円弧状長孔２９４の他端部２９４ｂに移動するほど、基底壁２２０と基底板１２０との間隙が狭くなり、最終的には、図６に示すように基底壁２２０と基底板１２０とが接触する。つまり、ジャンクションボックス１００へのリレー２００の装着が完了する。
【０１１８】
ここで、ジャンクションボックス１００及びリレー２００は、基底板１２０から突起１４２までの長さＤが、ヒンジ結合部２９２から基底壁２２０までの長さＣから、ヒンジ結合部２９２から円弧状長孔２９４の他端部２９４ｂまでの長さＢを引いた長さと同一に形成されているので、突起１４２が円弧状長孔２９４の他端部２９４ｂに至ると、基底壁２２０と基底板１２０との間隙がゼロとなる。つまり、基底壁２２０と基底板１２０とが接触する。
【０１１９】
また、ジャンクションボックス１００へのリレー２００の装着が完了すると、レバー２７０は、ケース２１０に重なり、ケース２１０全体の輪郭線から突出しなくなる。
【０１２０】
ただし、レバー２７０がケース２１０に重なった場合であっても、突出部２８２は、ケース２１０、より正確には短側壁２５０と上壁２６０の一端部２６２とが接する辺部から突出する。
【０１２１】
これにより、作業者がリレー２００をジャンクションボックス１００から引き抜くためにレバー２７０を回動させようとするとき、突出部２８２を把持できるようになり、レバー２７０を容易に回動させることができる。
【０１２２】
なお、てこの原理により、ヒンジ結合部２９２が支点となり、取っ手２８０が力点となり、突起１４２と円弧状長孔２９４との接触部位が作用点となる。
【０１２３】
しかし、レバー２７０は、ヒンジ結合部２９２から取っ手２８０までの長さＥが、ヒンジ結合部２９２から円弧状長孔２９４の一端部２９４ａまでの長さＡ以上に形成されている。
【０１２４】
また、レバー２７０は、ヒンジ結合部２９２から取っ手２８０までの長さＥが、ヒンジ結合部２９２から円弧状長孔２９４の他端部２９４ｂまでの長さＢより長く形成されている。
【０１２５】
これにより、取っ手２８０（力点）に作用する力より、突起１４２と円弧状長孔２９４との接触部位（作用点）に加わる力のほうが大きくなる。
【０１２６】
従って、小さい力で、リレー２００をジャンクションボックス１００に強固に圧接して装着することができ、リレー２００をジャンクションボックス１００から容易に引き抜くことができる。
【０１２７】
図４に示すように、ジャンクションボックス１００に装着されたリレー２００は、前記装着過程の逆過程によりジャンクションボックス１００から引き抜くことができる。
【０１２８】
本発明の一実施形態による電磁開閉装置においては、リレー２００にヒンジ結合されたレバー２７０がジャンクションボックス１００の突起１４２に係止された状態でレバー２７０を一方向に回動させると、リレー２００をジャンクションボックス１００の基底板１２０側に加圧することができる。また、リレー２００にヒンジ結合されたレバー２７０がジャンクションボックス１００の突起１４２に係止された状態でレバー２７０を反対方向に回動させると、リレー２００を基底板１２０から遠ざかる方向に加圧することができる。従って、別途の工具を用いることなくリレー２００をジャンクションボックス１００に容易に着脱することができる。
【０１２９】
また、リレー２００がジャンクションボックス１００に繰り返し着脱されても、リレー２００とジャンクションボックス１００との間、より正確には側壁２３０と側板１３０との間に遊びが生じない。つまり、リレー２００がジャンクションボックス１００で遊動したり離脱したりしない。
【０１３０】
以上、本発明の特定の実施形態について説明したが、本発明は、その思想や基本的な特徴から逸脱しない限り様々な形態で実施することができるので、前述した実施形態により本発明の権利範囲が限定されるものではない。
【０１３１】
なお、本明細書に開示されていない実施形態であっても、添付の特許請求の範囲に定義された技術思想の範囲内で広く解釈されるべきである。また、添付の特許請求の範囲に定義された技術思想の範囲とその均等範囲内で行われるあらゆる変更及び変形も当該特許請求の範囲に含まれる。
【符号の説明】
【０１３２】
１００    ジャンクションボックス
１１０    収容空間
１２０    基底板
１２２    ジャンクションボックス端子部
１３０    側板
１４０    長側板
１４２    突起
１４２ａ    離脱防止突部
１５０    短側板
２００    リレー
２１０    ケース
２２０    基底壁
２２２    リレー端子部
２３０    側壁
２４０    長側壁
２５０    短側壁
２６０    上壁
２６２    （上壁の）一端部
２６４    （上壁の）他端部
２７０    レバー
２８０    取っ手
２８２    突出部
２９０    レバー板
２９２    ヒンジ結合部
２９４    円弧状長孔
２９４ａ    （円弧状長孔の）一端部
２９４ｂ    （円弧状長孔の）他端部
２９６    リブ
２９６ａ、２９６ｂ    折曲部
２９６ｃ    連結部
Ａ    ヒンジ結合部から円弧状長孔の一端部までの長さ
Ｂ    ヒンジ結合部から円弧状長孔の他端部までの長さ
Ｃ    ヒンジ結合部から基底壁までの長さ
Ｄ    基底板から突起までの長さ
Ｅ    ヒンジ結合部から取っ手までの長さ
ｌ280    取っ手の長さ
ｔ262    上壁の一端部の深さ
ｔ280    取っ手の厚さ
ｗ262    上壁の一端部の幅
ｗ280    取っ手の幅
【図１】
0006014113.tif 000002
【図２】
0006014113.tif 000003
【図３】
0006014113.tif 000004
【図４】
0006014113.tif 000005
【図５】
0006014113.tif 000006
【図６】
0006014113.tif 000007
【図７】
0006014113.tif 000008
【図８】
0006014113.tif 000009
【図９】
0006014113.tif 000010
【図１０】
0006014113.tif 000011